(57)【特許請求の範囲】
【請求項１】
内部に内容液の注出路となる空間が貫通している筒状本体と、該筒状本体の下部に位置し、頂板部及び該頂板部周縁から下方に延びる溶着面を有する溶着部とから成るスパウト、及び該スパウトに係合するキャップとから成るキャップ付スパウトであって、
前記溶着部の底面には、内容物の注出路となる開口を閉塞し、開口に沿ってその周縁部がカッターにより切断可能な薄膜部が形成されており、該薄膜部の下面には軸方向下方に延びる突出部が形成されており、前記薄膜部の周縁部が、連結部となるべき部分を除いてカッターにより切断された後、薄膜部が連結部を支点として注出路内部に押し込まれ、前記突出部の先端部が注出路の側面に係止することを特徴とするキャップ付スパウト。
【請求項２】
前記薄膜部の周縁部に、連結部と成るべき部分を除いて上面からスコアが形成されている請求項１記載のキャップ付スパウト。
【請求項３】
前記突出部が、薄膜部の中央に形成されている請求項１又は２記載のキャップ付スパウト。
【発明の詳細な説明】
【技術分野】
【０００１】
本発明は、飲料等を内容物とする包装体に溶着して使用されるスパウトに関するものであり、より詳細には、内容物充填前の薬液殺菌による薬液を効率的に除去可能であり、アセプティック充填に対応可能なキャップ付スパウトに関する。
【背景技術】
【０００２】
液状或いはゼリー状の内容物を充填する、プラスチックフィルムやプラスチックフィルムと金属箔の積層体から成る袋状の包装体等に取り付けられるスパウトは、袋状の包装体からの内容物の取出しやリシールが容易であること等から、従来より広く用いられている。
一般に、飲食品等を内容物とするスパウトを備えて成る袋状包装体においては、高温に加熱された内容物を包装体内に充填することによって衛生性を保っている。
しかしながら、内容物によっては高温にすることによって風味が変わってしまう場合があると共に、熱間充填後に冷却する必要があることから生産性の点で、スパウトが溶着されてなる袋状包装体においても、内容物を予め殺菌された包装体に無菌状態で充填する、所謂アセプティック充填に対応できることの要求が高まっている。
【０００３】
アセプティック充填に対応可能なスパウトとするためには、予め電子線殺菌等で殺菌されたキャップ付スパウトを包装体と組み合わせた後に更に行う薬液による殺菌に際して、スパウトに付着する薬液、特に筒状部の内部や微細な凹凸部分に浸入する薬液が残存しないようにすることが重要である。
すなわち、スパウト或いはキャップ内に薬液が残存すると、内容物の風味を損なう等の問題を有することから、付着した薬液を完全に除去する必要があるが、かかる部分の薬液は風圧で吹き飛ばす等の簡易な方法では完全に除去することが困難であり、加熱乾燥等の煩雑な除去工程を経ると生産性やコストの点で十分満足するものではない。従って、薬液の残存を防止するためには、注出筒内部等に予め薬液が浸入しないようにすることが望ましい。
【０００４】
注出筒が予め閉塞されているスパウトも知られており、例えば、下記特許文献１には、注出筒部と容器本体の開口シール部に取り付けられる取付部とを有するスパウトであって、前記注出筒部内に注出口を塞ぐ隔膜を有し、前記注出筒部の内周面に機能性樹脂層を有する多層筒状スリーブを設け、前記隔膜と前記多層筒状スリーブの下端部を前記容器本体とのシール部となる位置に位置させたことを特徴とするスパウトが提案されている。
また下記特許文献２には、パウチ（２）内の内容物の注出を行う注出筒（３）と、該注出筒（３）に連接して形成され、パウチ（２）の内面縁部に溶着固定される取付部（６）と、を備えたスパウト（１）において、注出筒（３）の下端部には封止底部（５）と摘み片（９）が設けられ、前記封止底部（５）の上方に位置する注出筒には破断可能な弱化部（８）が形成されていることを特徴とするスパウトが提案されている。
これらはいずれも使用に際して前記隔膜或いは摘み片を破断することにより内容物の注出が可能になる。
【先行技術文献】
【特許文献】
【０００５】
【特許文献１】特開２００８−８７７８６号公報
【特許文献２】特開２００９−１６６８９８号公報
【発明の概要】
【発明が解決しようとする課題】
【０００６】
しかしながら、上記スパウトでは、完全に破断され、スパウトから分離した隔膜或いは摘み片が包装体内に浮遊するので、破断部分の誤飲のおそれがあると共に、そのおそれがないとしても心理的には好ましいものではない。また破断された前記隔膜や摘み片が内容物の流れによって再び内容物の流路を閉塞し、注出の妨げになるおそれもある。前記隔膜や摘み片が完全に破断されない場合も同様である。
【０００７】
従って本発明の目的は、薬液による殺菌を行った場合でも、スパウト内に薬液が浸入せず、スパウトの包装体内面側において薬液の残存が有効に防止され、アセプティック充填に対応可能であると共に、内容物の注出性が損なわれないスパウトを提供することである。
【課題を解決するための手段】
【０００８】
本発明によれば、内部に内容液の注出路となる空間が貫通している筒状本体と、該筒状本体の下部に位置し、頂板部及び該頂板部周縁から下方に延びる溶着面を有する溶着部とから成るスパウト、及び該スパウトに係合するキャップとから成るキャップ付スパウトであって、前記溶着部の底面には、内容物の注出路となる開口を閉塞し、開口に沿ってその周縁部がカッターにより切断可能な薄膜部が形成されており、該薄膜部の下面には軸方向下方に延びる突出部が形成されており、前記薄膜部の周縁部が、連結部となるべき部分を除いてカッターにより切断された後、薄膜部が連結部を支点として注出路内部に押し込まれ、前記突出部の先端部が注出路の側面に係止することを特徴とするキャップ付スパウトが提供される。
【０００９】
本発明のキャップ付スパウトにおいては、
１．薄膜部の周縁部に、連結部と成るべき部分を除いて上面からスコアが形成されていること、
２．突出部が、薄膜部の中央に形成されていること、
が好適である。
【発明の効果】
【００１０】
本発明のキャップ付スパウトにおいては、薬液に浸漬或いは薬液を噴霧することにより殺菌を行っても、スパウトの溶着部の底面に形成された内容物の注出路となる開口を閉塞する薄膜部が形成されているため、薬液の除去が困難な箇所に薬液が浸入することがなく、薬液の残存等によって内容物の風味を損なうことを有効に防止できる。
しかも内容物を注出する際には、破断された薄膜部が注出路を閉塞することがないので、優れた注出性も確保されている。
【図面の簡単な説明】
【００１１】
【図１】本発明のキャップ付スパウトの一例の側面図である。
【図２】図１に示す本発明のキャップ付スパウトの側断面図である。
【図３】図１に示すキャップ付スパウトのスパウト部分の側面図である。
【図４】図３に示すスパウトの側断面図である。
【図５】図３に示すスパウトの上面図である。
【図６】図３に示すスパウトの底面図である。
【図７】図１に示すキャップ付スパウトの薄膜部が破断された後の状態を示す側断面図である。
【図８】図７に示すキャップ付スパウトのスパウト部分の底面図である。
【発明を実施するための形態】
【００１２】
本発明を添付図面に基づいて説明する。
図１乃至図６に示すように、本発明のキャップ付スパウトは、それぞれ別々に成形されたスパウト１とスパウト１に螺子係合により脱着可能に適用されるキャップ３０から成っている。
スパウト１は、概略的に言って、内部に内容物の注出路となる空間２が貫通している筒状本体３と、筒状本体３の下部に位置し、スパウト１を袋状包装体（図示せず）に固着するための溶着部４から成っている。筒状本体３の上部外面には、キャップ３０と螺子係合するための螺子部５、後述するキャップ３０のキャップ本体下端と密着してキャップ内への薬液の浸入を防止するための環状突起６及びキャップ３０のタンパーエビデントバンドを破断するための複数個の突起７，７，・・・が形成されている。溶着部４は、頂板部８及びこの頂板部８の周縁から下方に延びる溶着面９を有しており、この溶着面９に袋状包装体が溶着される。図に示す具体例においては、溶着部４には、使用樹脂を削減するために、図面の奥行き方向に延びる貫通孔１０，１０，・・・が複数個設けられている。
【００１３】
キャップ３０は、概略的に言って、天面３１及び天面３１から垂下するスカート部３２から成るキャップ本体３３と、スカート部３２の下端に破断不能な連結部３９と破断可能な弱化部３４を介して一体に成形されたタンパーエビデントバンド３５から成っている。
キャップ本体３３の天面の３１の内面には、スパウトの筒状本体３の上部１１の内面と密着するインナーリング３６が形成されている。またスカート部３２の内面には、スパウトの筒状本体３の螺子部５と係合する螺子部３７が形成されている。
更にタンパーエビデントバンド３５の内面には、スパウトの筒状本体３の外面に形成された複数個の突起７，７，・・・と係合する複数個のフラップ片３８，３８，・・・が形成されている。これにより、開封のためにキャップ３０を旋回すると、突起７，７，・・・とフラップ片３８，３８，・・・が係合してタンパーエビデントバンド３５はキャップ本体３３の旋回に追従することなく弱化部３４が破断する。開封後にはタンパーエビデントバンド３５は連結部３９でのみキャップ本体３３に連結される形態となり、リシ−ルによっても開封前の形態に戻ることはない。これにより、一旦開封されたものであることを明示することができる。
【００１４】
本発明のキャップ付スパウトは、上述した基本構造において、筒状本体３の底面において、内容物の注出路となる開口を閉塞する薄膜部１２が形成され、この薄膜部１２の下面中央に軸方向下方に延びる突出部１３が形成されていることが重要な特徴である。
この薄膜部１２はカッター等の切断手段により切断可能に形成されており、特に図に示す具体例においては、薄膜部１２の周縁部の一部を連結部１４とし、他の周縁部に上面、すなわち筒状本体内部側からスコア１５が形成されている。薄膜部１２の上面からスコア１５が形成されていることにより、スコア１５の溝に薬液が付着することがなく、薬液の残存を確実に防止できる。
スパウトの薬液による洗浄が終了した後、筒状本体３の横断面に沿うように、薄膜部１２の連結部１４を除いたスコア１５の部分をカッター等で切断すると共に、連結部１４を軸に筒状本体内部に薄膜部１２に押し込む。薄膜部１２が連結部１４を軸に最初の位置からほぼ９０度回転すると、図７及び図８に示すように、突出部１３の先端が筒状本体３の内側面１６に係止して、薄膜部１２は筒状本体３の内側面に沿って軸方向に維持され、内容物の流路である空間２を閉塞することがないので、内容物の注出性が阻害されることが有効に防止されている。
【００１５】
本発明のキャップ付スパウトにおいては、薄膜部１２に形成される突出部１３は、その先端が筒状本体３の内側面１６に圧着して係止して内容物の流路を確保することが重要であることから、連結部１４に対して垂直な半径上に突出部１３を形成する場合には、突出部１３の長さは、筒状本体３の内径とほぼ同じであることが必要である。また薄膜部１２の確実な固定という点では突出部１３は薄膜部１２の連結部１４の反対側に位置することが望ましいが、薄膜部１２が筒状本体３の内部に押し込まれる際に折れてしまうことを防止するためには、突出部１３の位置は薄膜部の中央付近にあることが望ましく、更に突出部１３は可撓性を有するように形成されることが望ましい。
【００１６】
本発明のキャップ付スパウトにおいてはこれに限定されるものではないが、予め電子線殺菌等によって殺菌されたキャップ付スパウトの溶着部の一方の面或いは両面を袋状包装体に溶着した後、包装体と共に薬液に浸漬或いは薬液が噴霧されることにより殺菌される。次いで、風圧で薬液が除去された後、薄膜部の切断及び切断された薄膜部の筒状本体への押し込みが行われ、これによりスパウトの外面は勿論内部にいたるまで薬液が残存することが有効に防止される。
【００１７】
本発明のキャップ付スパウトにおいては、上述した具体例に限定されず、種々の変更が可能である。
例えば、図に示す具体例では、突出部は薄膜部の中央に一つ形成されていたが、切断された薄膜部を固定し得る限りこれに限定されず、偏心した位置に形成してもよいし、複数個形成してもよい。
また図に示した具体例では、連結部を残した箇所にスコアが形成されていたが、連結部にも切断しないスコアが形成されていてもよく、これにより薄膜部の筒状内部への押し込み及び筒状本体の内側面に沿った軸方向に維持することが容易になる。
更に、図に示した具体例では、タンパーエビデントバンドが形成されていたが、必ずしもタンパーエビデントバンドを設けなくてもよく、またキャップ部分をシュリンクフィルム等で覆う等して用いてもよい。
更にまた、溶着部には使用樹脂量を削減すると共に成形時のヒケ等の発生を抑制するためには凹部を形成することが望ましいが、薬液が残存することを防止すべく、図に示したような貫通孔とするか、或いは凹部に微細な角部が存在しないように曲面とすることが望ましい。
【００１８】
本発明のキャップ付スパウトは、従来スパウトの成形に用いられていた、ポリエチレン、ポリプロピレン等の熱可塑性樹脂を用いて、スパウト及びキャップをそれぞれ従来公知の射出成形、圧縮成形等で成形し、これらを組み合わせることによって成形することができる。
【産業上の利用可能性】
【００１９】
本発明のキャップ付スパウトは、薬液による殺菌を行っても、風圧等の簡易な手段で薬液を完全に除去することが可能であり、アセプティック充填が行われる袋状包装体に好適に使用することができる。
【符号の説明】
【００２０】
１  スパウト、３  筒状本体、４  溶着部、１２  薄膜部、１３  突出部、１４  連結部、１５  スコア、３０  キャップ。
【図１】
0005770590.tif 000002
【図２】
0005770590.tif 000003
【図３】
0005770590.tif 000004
【図４】
0005770590.tif 000005
【図５】
0005770590.tif 000006
【図６】
0005770590.tif 000007
【図７】
0005770590.tif 000008
【図８】
0005770590.tif 000009